(57)【要約】【課題】実釣時に、フレームの支柱を介して、握持する手の親指で安定して保持することができる魚釣用リールを提供すること。【解決手段】左右の側枠１４，１６を支柱１８で一体化したフレーム２０と、このフレームの側枠に装着した外側板２２，２４とを有するリール本体１２を備え、このリール本体１２の一側に釣糸巻回用スプール２８を巻取り駆動するハンドル４２を設け、他側の外側板および側枠をスプールの軸方向視で円形状に形成した魚釣用リール１０であって、スプール２８を支えるスプール軸２８ａの上方に配置された支柱１８に、リール本体１２を握持した手の親指を載置可能な指載置面５４を形成し、この指載置面５４と側枠１４，１６の外周面との間に段差を形成する規制壁部５６，５８を、指載置面５４に隣接する側枠１４，１６の内面に設けた魚釣用リール。【選択図】      図４
2010063435.tif 000002
【特許請求の範囲】
【請求項１】
左右の側枠を支柱で一体化したフレームと、このフレームの側枠に装着した外側板とを有するリール本体を備え、このリール本体の一側に釣糸巻回用スプールを巻取り駆動するハンドルを設け、他側の側枠をスプールの軸方向視で円形状に形成した魚釣用リールであって、
前記スプールを支えるスプール軸の前方に配置された支柱に、リール本体を握持した手の親指を載置可能な指載置面を形成し、この指載置面と側枠の外周面との間に段差を形成する規制壁部を、指載置面に隣接する側枠の内面に設けたことを特徴とする魚釣用リール。
【請求項２】
前記指載置面は、リール本体の左右方向および前後方向に延びる平坦面で形成される請求項1に記載の魚釣用リール。
【請求項３】
前記指載置面を形成した支柱は、外側面が、前記他側の側枠の外周面よりも径方向外方に突出する請求項２に記載の魚釣用リール。
【請求項４】
前記指載置面は、前方側が下方に傾斜する請求項１に記載の魚釣用リール。
【発明の詳細な説明】
【技術分野】
【０００１】
本発明は、魚釣用リールに関し、特に、リール本体の一側に釣糸巻回用スプールを巻取り駆動するハンドルを設け、他側の外側板および側枠をスプールの軸方向視で円形状に形成した魚釣用リールに関する。
【背景技術】
【０００２】
従来、リール本体の側枠および側板を前後に長い楕円形状に形成した魚釣用リールの実釣時における握持保持の際の位置的制約等から、側枠および側板をスプールの軸方向視で円形状に形成した、いわゆる円形タイプ又は丸形の両軸受型魚釣用リールがベイキャスト用として開発されている（例えば特許文献１）。
【０００３】
更に、このような丸形の魚釣用リールにおけるハンドルとスプールとの間の回転伝達効率を高めるために、ハンドル側の側枠と側板とを互いに交差する２つの円筒部で非円形の異形形状に形成し、回転伝達機構のドライブギヤを大径化した魚釣用リールもある（例えば特許文献２参照）。
【特許文献１】実開平４−４１２６３号
【特許文献２】特開２００１−１４５４４２
【発明の開示】
【発明が解決しようとする課題】
【０００４】
通常、リール本体を握持保持可能なサイズに形成されている魚釣用リールでは、実釣時におけるキャスティング、合わせ操作、又は、巻取り操作等の所要の操作を行う際、釣り人は、リール本体を保持した手の親指を側枠間に延びる支柱上に載置することにより、安定して保持しようとする。
【０００５】
しかし、従来の丸形の魚釣用リールは、一対の側枠を一体化する支柱が、外周面を側枠の外周面と同じ円筒状の面内に配置された円弧状の外面で形成されている。
【０００６】
このため、支柱に親指を載せて握持した際、この親指が支柱上を左右方向に滑りやすく、安定させて保持することが困難となる。また、支柱の外面が円筒状に湾曲しているため、親指が前後に滑りやすく、安定した保持が困難である。
【０００７】
本発明は、このような事情に基づいてなされたもので、実釣時に、フレームの支柱を介して、握持する手の親指で安定して保持することができる魚釣用リールを提供することを目的とする。
【課題を解決するための手段】
【０００８】
上記目的を達成する本発明の魚釣用リールは、左右の側枠を支柱で一体化したフレームと、このフレームの側枠に装着した外側板とを有するリール本体を備え、このリール本体の一側に釣糸巻回用スプールを巻取り駆動するハンドルを設け、他側の側枠をスプールの軸方向視で円形状に形成した魚釣用リールであって、前記スプールを支えるスプール軸の前方に配置された支柱に、リール本体を握持した手の親指を載置可能な指載置面を形成し、この指載置面と側枠の外周面との間に段差を形成する規制壁部を、指載置面に隣接する側枠の内面に設けたことを特徴とする。
【０００９】
前記指載置面は、リール本体の左右方向および前後方向に延びる平坦面で形成されることが好ましい。
【００１０】
また、前記指載置面を形成した支柱は、外側面が、前記他側の側枠の外周面よりも径方向外方に突出するものであってもよい。
【００１１】
前記指載置面は、前方側が下方に傾斜させることができる。
【００１２】
する請求項１に記載の魚釣用リール
【発明の効果】
【００１３】
本発明の魚釣用リールによると、スプール軸の前方に位置する支柱の指載置面に載置した親指は、この指載置面に隣接する規制壁部により、左右方向への移動が規制されることにより、握持した手の親指をリール本体の指載置面上に確実に載置させ、安定した状態でリール本体を保持しつつスプール上の釣糸に触れることができ、必要な釣糸の操作を容易に行うことができる。
【００１４】
この指載置面が平坦面で形成される場合には、リール本体を保持する際に、親指の前方への滑りを確実に防止することができる。
【００１５】
この載置面を形成した支柱の外側面が側枠の外周面よりも径方向外方に突出する場合には、この支柱をより前方側に配置してこの支柱の内側面とスプールとの間隔を大きくでき、釣糸放出時の糸抵抗を小さくすることができ、更に、指載置面をより広くして握持性を向上させることができる。
【００１６】
また、指載置面の前方側が下方に傾斜する場合は、保持する親指の後方への滑りを防止でき、より確実に保持することができる。
【発明を実施するための最良の形態】
【００１７】
図１から図６は、本発明の好ましい実施形態による魚釣用リール１０を示す。
【００１８】
図１から図４に全体を示すように、この魚釣用リール１０のリール本体１２は、左右一対の側枠１４，１６を複数の支柱１８で連結して一体の枠体構造を形成するフレーム２０を有し、この側枠１４，１６のそれぞれの外側に、外側板２２，２４を取付けて、ハウジングとして形成され、取付脚部２６を介して釣竿に固定される。なお、外側板２４は側枠１６と一体形成し、この側枠１６の一部としてもよい。右側板２４は円形又は円筒状に形成してあり、左側板２２は、図２に示すように、円筒状部の一部を径方向外方に膨出させた異形形状に形成してある。なお、本明細書中で、左右は、図１の紙面における左右をいう。
【００１９】
釣糸が巻回されるスプール２８は、左右の外側板２２，２４間に回転自在に支持され、一対の鍔部２８ｃ間に釣糸ｔ（図５）が巻回される胴部２８ｂを有し、このスプール２８を回転駆動する巻取り駆動機構３０が、左側板２２と左側枠１４で区画されるギヤボックスの内部空間内に収容される。このギヤボックスの内部空間内には、この巻取り駆動部３０の他にも、巻取り駆動機構３０に連動回転して側枠１４，１６間に延びるガイド軸３２（図５）で案内されつつ筒体３４上でラインガイド３６を左右に往復動し、スプール２８の胴部２８ｂ上に釣糸ｔを均等に巻回するレベルワインド機構や、ドラグ機構等の各種部材が収容される。
【００２０】
本実施形態のスプール２８は、このリール本体１２の側枠１４，１６を貫通するスプール軸２８ａ（図１）で支えられており、このスプール軸２８ａは、両端部が、例えばボール軸受３８ａ，３８ｂを介してリール本体１２に回転自在に支持され、このスプール２８と共に回転する。このスプール軸２８ａの一端側から左側枠１４を通して突出する端部は、このスプール軸２８ａと一体で同軸状に配置されるピニオン軸４０ａとして形成してあり、このピニオン軸４０ａ上に、ハンドル４２で回転駆動されるピニオン４０が移動可能に支持されている。
【００２１】
このピニオン４０は、ピニオン軸４０ａを挿通する筒状構造を有し、左側枠１４および左側板２２で支えられた軸受（図示しない）により、リール本体１２に対して回転可能かつ軸方向に移動可能に支持されている。本実施形態では、側枠１４，１６間に配置したクラッチレバー４４（図３−５）を介してクラッチ機構をＯＮ／ＯＦＦ操作することにより、ピニオン４０は、スプール軸２８ａに嵌合してスプール軸２８ａと一体的に回転する係合位置と、スプール軸２８ａとの係合状態が解除された非係合位置との間を、ピニオン軸４０ａに沿って移動することができる。
【００２２】
このピニオン４０の移動は、ピニオン４０の周溝４０ｂに係合するヨーク４６（図１）を、クラッチ機構のＯＮ／ＯＦＦ操作に連動させて、ピニオン軸４０ａに沿って移動することで行うことができ、スプール２８が自由に回転できるクラッチＯＦＦの状態で、ハンドル４２を回転すると、クラッチＯＮの状態に戻り、釣糸をスプール２８に巻き取ることができる。なお、本実施形態では、左側板２２に配置した調節ねじ２３を介してピニオン軸４０ａを押圧し、スプール軸２８ａに作用する摩擦力を調整することができる。
【００２３】
更に、左側枠１４と左側板２２とで形成されるギヤボックス内には、一端に締付けナット４３でハンドル４２を取付けたハンドル軸４２ａがピニオン軸４０ａと平行に配置されており、このハンド４２を回転することにより、巻取り駆動機構３０を介してスプール２８が回転駆動される。締付ナット４３は、小ネジ等でハンドル４２に固定される回り止め４３ａにより、回り止めすることが好ましい。
【００２４】
このハンドル軸４２ａは、左側枠１４および左側板２２にそれぞれ軸受４５（左側枠１４側のみを示す）で回転可能に支持されている。このハンドル軸４２ａをハンドル４２側で支える軸受は、左側板２２の略円筒状に突出する突出部２５（図１)内に設けてあり、この突出部２５内には、ハンドル軸４２ａの釣糸巻回方向への回転を許容し、逆方向の回転を阻止する一方向クラッチが配置されている。
【００２５】
また、ハンドル軸４２ａには、ドラグ機構と共に巻取り駆動機構３０の一部を形成するドライブギヤ４８が回転可能に装着されており、ハンドル軸４２ａ上でスタードラグ４１を回転することにより、ハンドル軸４２ａに対するドライブギヤ４８の摩擦結合力を変え、所望のドラグ力に調整することができる。これにより、ハンドル４２の回転操作による駆動力は、ドラグ機構を介してドライブギヤ４８に伝達され、このドライブギヤ４８からピニオンギヤ４０とスプール軸２８ａとを介してスプール２８に伝達される。魚が掛かったときに、釣糸放出方向にスプール２８を回転する力がドラグ力を超えると、ドライブギヤ４８がドラグ力に抗して回転し、スプール２８が釣糸繰出し方向に回転し、糸切れを防止する。
【００２６】
このドライブギヤ４８の回転で、スプール２８上に釣糸を均等に巻回するレベルワインド機構のラインガイド３６がスプール軸２８ａに沿って往復動される。このラインガイド３６は、スプール２８から釣糸を繰出す前方側で左右の側板２２，２４間に延びる筒体３４に摺動自在の釣糸案内体に３４ａに、設けられている。この筒体３４内には螺軸３５が配置され、この螺軸は、一端に配置した図示しない連動歯車を上述のドライブギヤ４８の小径部４８ａで回転駆動される。螺軸３５がドライブギヤ４８で回転駆動されると、螺軸の外周面に設けたトラバース溝（図示しない）に係合する釣糸案内体３４ａが筒体３４と平行に延びるガイド軸３２に沿って左右に摺動する。これにより、釣糸案内体３４ａに設けられたラインガイド３６を通して、釣糸ｔ（図５）がスプール２８上に均等に釣糸を巻回される。
【００２７】
この魚釣用リール１０は、キャスティング操作や釣糸の巻取り操作性の向上を図るために、リール本体１２の外径をコンパクト化し、回転伝達効率を向上させるために、ドライブギヤ４８を大型化してある。
【００２８】
このため、左側枠１４と左側板２２との外周部は、リール本体１２の後方かつ上方の部位でスプール軸２８ａを囲む円筒状部５０に対して、ドライブギヤ４８を囲む前方かつ下方部位を径方向外方に膨出させた異形の周壁かなる膨出部５２として形成し、この膨出部５２内にドライブギヤ４８の外周部を収容してある。
【００２９】
本実施形態では、円筒状部５０を左側板２２と一体の周壁で形成し、膨出部５２を左側枠１４と一体の周壁で形成してある。これらの左側枠１４と左側板２２とは、円筒状部５０に配置した本実施形態では３本の固定ネジ２１により、一体的に固定してある。膨出部５２にはこのような固定ネジは設けてない。これにより、左側枠１４と左側板２２とを高精度に位置決めし、固定することができ、これらの左枠１４と左側板２２とが非円形の異形形状であっても、内部に収容する歯車の噛合い性能、耐久性の低下を防止することができる。
【００３０】
この魚釣用リール１０は、スプール２８の上側かつラインガイド３６側に位置する支柱１８の上面に、後方からリール本体１２を握持した手の親指を容易に載置することのできる平坦状の指載置面５４を形成してある。この指載置面５４は、取付脚部２６を介して取付けられる釣竿Ｒに沿って前後方向に延び、スプール軸２８ａに沿って左右に延びる略横長の形状に形成してあり、後方に配置されるクラッチレバー４４との間に、スプール２８の釣糸巻回胴部２８ｂが露出する開口部Ｓを形成する。
【００３１】
この指載置面５４は、左側枠１４と左側板２２とが円筒状部５０を形成する部位に配置してあり、この指載置面５４に隣接する左右の側枠１４，１６の内面すなわち開口部Ｓ側に形成した規制壁部５６，５８で、左右方向に区画された平坦面で形成されている。この指載置面５４を形成する支柱１８は、その外側面が上述の円筒状部５０および右側の側枠１６の外周面から例えば同心円状に径方向外方に突出（例えば３〜５ｍｍ程度）しており、これにより、指載置面５４の前後方向の寸法を拡大し、平坦状の指載置面の面積をより広くして載置した指の安定を図り、握持性を向上させてある。この指載置面５４は、平坦面で形成されることにより、リール本体１２を保持する際に、親指の前方への滑りを確実に防止することができる。
【００３２】
なお、この載置面５４は、親指を確実かつ安定した状態で載置できるものであれば、凸状又は凹状に形成したものであってもよく、その表面に例えば滑り止め等を形成することも可能である。
【００３３】
また、図５に示すように、この指載置面５４は、魚釣用リール１０が取付けられる釣竿Ｒの軸線に対し、その前方側を下方すなわち釣竿Ｒ側に傾斜させてもよい。この場合には、保持する親指の後方への滑りを防止し、より確実に保持することができる。
【００３４】
このような指載置面５４を区画する規制壁部５６，５８は、この指載置面５４と、左側枠１４の円筒状部５０の外周面および右側枠１６の外周面との間に段差Ｈを形成する。また、指載置面５４との間に、載置した親指の滑りを防止するため、指載置面５４と左側板１４及び右側板１６の内側面との間には、湾曲面からなる規制壁部５６，５８が形成されている。規制壁部５６，５８を形成する載置面５４と側枠１４，１６の外周面との間の段差Ｈは、例えば４〜６ｍｍに形成することが好ましい。
【００３５】
また、指載置面５４は、開口部Ｓから、載置した親指の腹部でスプール２８に巻回した釣糸の外周に触れること（サミング操作）ができるように、スプール軸２８ａの上部前方側に離間した位置に配置することが好ましい。
【００３６】
図５および図６は、このような指載置面５４をリール本体１２のフレーム２０に形成された魚釣用リール１０を用いた魚釣り操作の一例を示す。
【００３７】
例えば、仕掛けを遠くに投擲するキャスティング、魚とのやり取りを行う合わせ操作、又は、釣糸ｔの巻取り等の操作を行う場合、釣り人は魚釣用リール１０の後方からリール本体１２を握持し、その親指をリール本体１２のフレーム２０に形成した指載置面５４に載置する。右側枠１６および右側板２４が側面視で円形に形成されているため、手の平全体にリール本体１２の後方を包む状態で握持することができる。また、反対側においても、膨出部５２が前方かつ下方に配置され、後方部位には円筒状部５０が配置されているため、この左側枠１４および左側板２２側からも、同様にリール本体１２の後方部位を手の平に包み込む状態に握持することができる。したがって、左右のいずれからもリール本体１２の握持が容易である。
【００３８】
このようにリール本体１２を握持した際、親指を指載置面５４に載置し、魚釣用リール１０を握持する場合には、指載置面５４が平坦状に形成されていることにより、一体構造のフレーム２０を介して魚釣用リール１０を釣竿Ｒ上で確実に押さえることができる。指載置面５４が釣竿Ｒの方向およびスプール軸２８ａの方向に延びる平坦状であるため、載置した指が安定し、合わせ操作やハンドル４２による巻取り操作を安定した状態で行うことができる。
【００３９】
更に、指載置面５４が左右の側枠１４，１６に形成した規制壁部５６，５８で左右方向に区画され、外周面との間に段差Ｈが形成されているため、載置した指をこの指載置面５４から滑って外れるのを確実に防止することができる。また、平坦状の指載置面５４の後縁部および前縁部が直線状に形成されていることのより、これらの縁部を介して指を係止することもできる。
【００４０】
また、このように親指を指載置面５４に載置したときに、開口部Ｓから、胴部２８ｂ上に巻回した釣糸ｔが外部に露出しているため、指載置面５４に載置した指の腹側でスプール２８上の釣糸ｔに軽く触れるサミング操作を極めて確実かつ容易に行うことができる。
【００４１】
したがって、上述の魚釣用リール１０は、親指載置面５４を介して安定した状態でリール本体１２を保持することができ、実釣時に必要な種々の操作を確実かつ容易に行うことができる。
【図面の簡単な説明】
【００４２】
【図１】本発明の好ましい実施形態による魚釣用リールを示す正面図。
【図２】図１の魚釣用リールのハンドル側の側面図。
【図３】図１の魚釣用リールの概略的な平面図。
【図４】図１の魚釣用リールを反ハンドル側の前方からみた状態の説明図。
【図５】図１のＶ−Ｖ線に沿う断面図。
【図６】指を載置した状態で示す説明図。
【符号の説明】
【００４３】
１０…魚釣用リール、１２…リール本体、１４，１６…側枠、１８…支柱、２０…フレーム、２２，２４…外側板、２８…スプール、２８ａ…スプール軸、４２…ハンドル、５４…指載置面、５６，５８…規制壁部。
【図１】
2010063435.tif 000003
【図２】
2010063435.tif 000004
【図３】
2010063435.tif 000005
【図４】
2010063435.tif 000006
【図５】
2010063435.tif 000007
【図６】
2010063435.tif 000008